(57)【要約】【課題】部品点数を増やしたり構造を複雑にすることなく、リフロー半田槽に対応した面実装型のコイル部品を提供することを目的としている。【解決手段】上下方向に貫通孔２１を有した環状のコア２２と、前記環状のコア２２に絶縁被膜を有した絶縁電線を巻回した巻線２３と、前記巻線２３から引出した引出し線２４とを有したコイル本体２５と、前記コイル本体２５を収納した絶縁樹脂からなるケース２６と、前記ケース２６に植設するとともに前記引出し線２４を接続した端子２７とを備え、前記ケース２６は、上面部２８、底面部２９および側面部３０を有するとともに側面部３０の一面が開口の開口部３１を有しており、前記開口部３１近傍の前記コア２２は前記巻線２３を非巻回にした構成。【選択図】  図１
2004273995.tif 000002
【特許請求の範囲】
【請求項１】
上下方向に貫通孔を有した環状のコアと、前記環状のコアに絶縁被膜を有した絶縁電線を巻回した巻線と、前記巻線から引出した引出し線とを有したコイル本体と、前記コイル本体を収納した絶縁樹脂からなるケースと、前記ケースに植設するとともに前記引出し線を接続した端子とを備え、前記ケースは、上面部、底面部および側面部を有するとともに側面部の一面が開口の開口部を有しており、前記開口部近傍の前記コアは前記巻線を非巻回にしたコイル部品。
【請求項２】
環状のコアは断面形状をロの字形状とした請求項１に記載のコイル部品。
【請求項３】
ケースの底面部に、前記ケースの開口部から前記開口部と対向する側面の方向にスリットを設け、引出し線を、前記スリットを通して前記ケースの外方に引出すとともに前記底面部の下面を引き廻して端子に接続した請求項１に記載のコイル部品。
【請求項４】
スリットを少なくとも二つ設け、一方のスリットはケースの開口部から環状のコアの貫通孔まで設け、他方のスリットは環状の前記コアの外周近傍まで設けた請求項１に記載のコイル部品。
【請求項５】
ケースの下面に引出し線の径寸法より大きい寸法の凸部を設けた請求項１に記載のコイル部品。
【請求項６】
ケースの上面は平坦に形成した請求項１に記載のコイル部品。
【発明の詳細な説明】
【０００１】
【発明の属する技術分野】
本発明は各種電子機器等に用いるコイル部品に関するものである。
【０００２】
【従来の技術】
近年の電子機器の小型化、高周波化に伴い、トロイダルコアに代表される高周波特性に優れた環状コアを用いた面実装型のコイル部品が提案されている。
【０００３】
以下、従来のコイル部品について図面を参照しながら説明する。
【０００４】
図４は従来のコイル部品の斜視図、図５は同コイル部品の分解斜視図である。
【０００５】
図４、図５において、従来のコイル部品は、貫通孔１を有した環状のコア２と、このコア２に絶縁電線を巻回した巻線３と、この巻線３から引出した引出し線４とを有したコイル本体５と、このコイル本体５を収納する収納凹部６を有した収納ケース７と、この収納ケース７に植設した端子８と、収納ケース７に掛止するとともに巻線３を巻回したコア２の上面を覆う上蓋ケース９とを備えていた。
【０００６】
そして、コイル本体５を収納ケース７に収納し、引出し線４と端子８とを半田接続した後、巻線３を巻回したコア２の上面に上蓋ケース９を被せてコイル部品を構成していた。
【０００７】
このように構成されたコイル部品は、リフロー半田槽を用いて実装基板（図示せず）に半田接続されていた。
【０００８】
尚、この出願の発明に関連する先行技術文献情報としては、例えば、特許文献１が知られている。
【０００９】
【特許文献１】
特開２０００−３０６７４２号公報
【００１０】
【発明が解決しようとする課題】
コイル本体５にリフロー半田槽の赤外線等の熱線を直接照射すると、コイル本体５の巻線３が高温となり、巻線３を巻回した絶縁電線の絶縁被膜が劣化する恐れがあり、巻線３の絶縁被膜を保護するために、巻線３を巻回したコア２の上に上蓋ケース９を被せる必要があり、部品点数を増大させ構造を複雑にするといった問題点を有していた。
【００１１】
本発明は上記従来の問題点を解決するもので、部品点数を増やしたり構造を複雑にすることなく、リフロー半田槽に対応した面実装型のコイル部品を提供することを目的としている。
【００１２】
【課題を解決するための手段】
上記目的を達成するために本発明は、以下の構成を有する。
【００１３】
本発明の請求項１に記載の発明は、特に、ケースは、上面部、底面部および側面部を有するとともに側面部の一面が開口の開口部を有しており、開口部近傍のコアの外周は巻線を非巻回にした構成である。
【００１４】
上記構成により、ケースは、上面部、底面部および側面部を有するとともに側面部の一面が開口の開口部を有しており、開口部近傍のコアの外周は巻線を非巻回にしているので、ケースに開口部からコイル本体を収納するだけで巻線の外周をケースで覆うことができ、巻線にリフロー半田槽の赤外線等の熱線が直接照射されることを防止できる。
【００１５】
本発明の請求項２に記載の発明は、特に、環状のコアは断面形状をロの字形状とした構成である。
【００１６】
上記構成により、環状のコアは断面形状をロの字形状としたので、ケースの開口部に相対した環状のコアの外周面が平面となり、ケースの開口部を環状のコアで塞ぐことができ、リフロー半田槽の赤外線等の熱線がケースの内部に入り込むことをより抑制することができる。
【００１７】
本発明の請求項３に記載の発明は、ケースの底面部に、ケースの開口部から開口部と対向する側面の方向にスリットを設け、引出し線を、スリットを通してケースの外方に引出すとともに底面部の下面を引き廻して端子に接続した構成である。
【００１８】
上記構成により、ケースの底面部に、ケースの開口部から開口部と対向する側面の方向にスリットを設け、引出し線を、スリットを通してケースの外方に引出すとともに底面部の下面を引き廻して端子に接続しているので、リフロー半田槽の赤外線等の熱線が引出し線に直接照射されることがなくなり、引出し線部分の絶縁被膜が劣化して、巻線と引出し線との絶縁劣化を防止することができる。
【００１９】
本発明の請求項４に記載の発明は、特に、スリットを少なくとも二つ設け、一方のスリットはケースの開口部から環状のコアの貫通孔まで設け、他方のスリットは環状のコアの外周近傍まで設けた構成である。
【００２０】
上記構成により、スリットを二つ設け、一方のスリットはケースの開口部から環状のコアの貫通孔まで設け、他方のスリットは環状のコアの外周近傍まで設けているので、環状のコアに巻回した巻線の貫通孔側の引出し線を一方のスリットから引出し、環状のコアの外周側の引出し線を他方のスリットから引出すことで、巻線の引出し線をケースの内部で折り曲げることなくスリットに容易に通して配置することができる。
【００２１】
本発明の請求項５に記載の発明は、特に、ケースの下面に引出し線の径寸法より大きい寸法の凸部を設けた構成である。
【００２２】
上記構成により、ケースの下面に引出し線の径寸法より大きい寸法の凸部を設けているので、コイル部品を実装基板に実装した際に、巻線の引出し線がケースの底面部に押さえられて絶縁被膜が劣化することを抑制できる。
【００２３】
本発明の請求項６に記載の発明は、特に、ケースの上面部の上面は平坦に形成した構成である。
【００２４】
上記構成により、ケースの上面部の上面は平坦に形成したので、コイル部品を実装基板に実装する際に、ケースの上面を自動実装装置の真空チャックでチャッキングすることができ、自動実装を可能にすることができる。
【００２５】
【発明の実施の形態】
以下、本発明の実施の形態を用いて、本発明の全請求項に記載の発明について説明する。
【００２６】
図１は本発明の一実施の形態のコイル部品の下面側斜視図、図２は同コイル部品の分解斜視図、図３は同コイル部品の図１におけるＡ−Ａ線の断面図である。
【００２７】
図１〜図３において、本発明の一実施の形態におけるコイル部品は、上下方向に貫通孔２１を有した環状のコア２２と、環状のコア２２に絶縁被膜を有した絶縁電線を巻回した巻線２３と、巻線２３から引出した引出し線２４とを有したコイル本体２５と、コイル本体２５を収納した絶縁樹脂からなるケース２６と、ケース２６に植設するとともに引出し線２４を接続した端子２７とを備えている。
【００２８】
このとき、ケース２６は、上面部２８、底面部２９および側面部３０を有するとともに側面部３０の一面が開口の開口部３１を有しており、開口部３１近傍のコア２２は巻線２３を非巻回にしている。
【００２９】
また、環状のコア２２は断面形状をロの字形状としており、ケース２６の開口部３１に近傍のコア２２には巻線２３を非巻回にしており、コア２２の外周側の平面をケースの開口部３１に相対させて配置している。
【００３０】
そして、ケース２６の底面部に、ケース２６の開口部３１から開口部３１と対向する側面の方向にスリット３２を設け、引出し線２４を、スリット３２を通してケース２６の外方に引出すとともに底面部２９の下面を沿うように引き廻して端子２７に接続している。
【００３１】
このスリット３２は少なくとも二つ設け、一方のスリット３２ａはケース２６の開口部３１から環状のコア２２の貫通孔２１まで設け、他方のスリット３２ｂは環状のコア２２の外周近傍まで設けている。
【００３２】
さらに、ケース２６の下面に引出し線２４の径寸法より大きい寸法の凸部３３を設けている。
【００３３】
また、ケース２６の上面部２８の上面は平坦に形成して、コイル部品を構成している。
【００３４】
上記構成のコイル部品について、以下その動作を説明する。
【００３５】
上記構成により、ケース２６は、上面部２８、底面部２９および側面部３０を有するとともに側面部３０の一面が開口の開口部３１を有しており、開口部３１近傍のコア２２の外周は巻線２３を非巻回にしているので、ケース２６に開口部３１からコイル本体２５を収納するだけで巻線２３の外周をケース２６で覆うことができ、巻線２３にリフロー半田槽の赤外線等の熱線が直接照射されることを防止できる。
【００３６】
また、環状のコア２２は断面形状をロの字形状としたので、ケース２６の開口部３１に相対した環状のコア２２の外周面が平面となり、ケースの開口部３１を環状のコア２２で塞ぐことができ、リフロー半田槽の赤外線等の熱線がケース２６の内部に入り込むことをより抑制することができる。
【００３７】
そして、ケース２６の底面部２９に、ケース２６の開口部３１から開口部３１と対向する側面の方向にスリット３２を設け、引出し線２４を、スリット３２を通してケース２６の外方に引出すとともに底面部２９の下面を沿うように引き廻して端子２７に接続しているので、リフロー半田槽の赤外線等の熱線が引出し線２４に直接照射されることがなくなり、引出し線２４の絶縁被膜が劣化して、巻線２３と引出し線２４との絶縁劣化を防止することができる。
【００３８】
さらに、スリット３２を少なくとも二つ設け、一方のスリット３２ａはケース２６の開口部３１から環状のコア２２の貫通孔２１まで設け、他方のスリット３２ｂは環状のコア２２の外周近傍まで設けているので、環状のコア２１に巻回した巻線２３の貫通孔２１側の引出し線２４を一方のスリット３２ａから引出し、環状のコア２２の外周側の引出し線２４を他方のスリット３２ｂから引出すことで、巻線２３の引出し線２４をケース２６の内部で折り曲げることなくスリット３２ａ，３２ｂに容易に通して配置することができる。
【００３９】
また、ケース２６の下面に引出し線２４の径寸法より大きい寸法の凸部３３を設けているので、コイル部品を実装基板に実装した際に、巻線２３の引出し線２４がケース２６の底面部２９に押さえられて絶縁被膜が劣化することを抑制できる。
【００４０】
そして、ケース２６の上面を平坦に形成したので、コイル部品を実装基板に実装する際に、ケース２６の上面を自動実装装置の真空チャックでチャッキングすることができ、自動実装を可能にすることができる。
【００４１】
このように本発明の一実施の形態によれば、ケース２６は、上面部２８、底面部２９および側面部３０を有するとともに側面部３０の一面が開口の開口部３１を有しており、開口部３１近傍のコア２２は巻線を非巻回にしたことにより、ケース２６に開口部３１からコイル本体２５を収納するだけで巻線２３の外周をケース２６で覆うことができ、部品点数を増やしたり構造を複雑にすることなく、巻線２３にリフロー半田槽の赤外線等の熱線が直接照射されることを防止できる。
【００４２】
【発明の効果】
以上のように本発明によれば、ケースは、上面部、底面部および側面部を有するとともに側面部の一面が開口の開口部を有しており、開口部近傍のコアの外周は巻線を非巻回にしたことにより、ケースに開口部からコイル本体を収納するだけで巻線の外周をケースで覆うことができ、巻線にリフロー半田槽の赤外線等の熱線が直接照射されることを防止でき、部品点数を増やしたり構造を複雑にすることなく、リフロー半田槽に対応した面実装型のコイル部品を提供することができる。
【図面の簡単な説明】
【図１】本発明の一実施の形態におけるコイル部品の下面側斜視図
【図２】同コイル部品の下面側から見た分解斜視図
【図３】同コイル部品の図１におけるＡ−Ａ線の断面図
【図４】従来のコイル部品の斜視図
【図５】従来のコイル部品の分解斜視図
【符号の説明】
２１  貫通孔
２２  コア
２３  巻線
２４  引出し線
２５  コイル本体
２６  ケース
２７  端子
２８  上面部
２９  底面部
３０  側面部
３１  開口部
３２  スリット
３２ａ  一方のスリット
３２ｂ  他方のスリット
３３  凸部
【図１】
2004273995.tif 000003
【図２】
2004273995.tif 000004
【図３】
2004273995.tif 000005
【図４】
2004273995.tif 000006
【図５】
2004273995.tif 000007